(57)【要約】【課題】光ディスクの再生信号における符号間干渉を精度良く補正する。【解決手段】遅延部１０１にて、再生信号を互いに異なる複数の遅延時間に応じて遅延させ、複数の遅延信号Ｔap2〜Ｔap5を生成し、係数選択回路１０２にて、Ｔap3の信号レベルと２つのスライスレベル信号との大小関係を求め、その結果に基づいて係数設定回路１０３にて係数群を選択する。そして、乗算部１０４にて、再生信号及び複数の遅延信号に係数群を乗算し、乗算信号mux1〜mux5を加算器で加算する。この場合に、係数設定回路１０３にてマークに応じた適切な係数群が選択されることとなるため、波形等化信号Ｓeqはマークに応じて波形等化された信号となる。【選択図】図４
2006012381.tif 000002
【特許請求の範囲】
【請求項１】
光ディスクからの再生信号を処理する信号処理方法であって、
一定時間ずつ異なる複数の遅延時間に応じて前記再生信号を遅延させた複数の遅延信号のうち、少なくとも予め設定されている特定の遅延時間に対応する遅延信号の信号レベルに基づいて、前記再生信号及び前記複数の遅延信号に乗算される複数の乗算係数を決定する工程を含む信号処理方法。
【請求項２】
前記決定する工程では、前記特定の遅延時間に対応する遅延信号の信号レベルと予め設定された少なくとも１つの判定レベルとの大小関係に基づいて、前記複数の乗算係数が決定されることを特徴とする請求項１に記載の信号処理方法。
【請求項３】
前記判定レベルは複数のレベルが設定されていることを特徴とする請求項２に記載の信号処理方法。
【請求項４】
前記特定の遅延時間よりも１段階だけ短い遅延時間に対応する遅延信号及び前記特定の遅延時間よりも１段階だけ長い遅延時間に対応する遅延信号の少なくとも一方の遅延信号の信号レベルに基づいて、前記少なくとも１つの判定レベルを設定する工程を、更に含むことを特徴とする請求項２又は３に記載の信号処理方法。
【請求項５】
前記決定する工程では、前記特定の遅延時間に対応する遅延信号の信号レベルと、前記特定の遅延時間よりも１段階だけ短い遅延時間に対応する遅延信号の信号レベルと、前記特定の遅延時間よりも１段階だけ長い遅延時間に対応する遅延信号の信号レベルと、に基づいて、前記複数の乗算係数が決定されることを特徴とする請求項１に記載の信号処理方法。
【請求項６】
前記決定する工程では、前記各信号レベルに予め設定された複数の値をそれぞれ乗算し、それらを加算した合算信号に基づいて、前記複数の乗算係数が決定されることを特徴とする請求項５に記載の信号処理方法。
【請求項７】
前記決定する工程では、前記合算信号の信号レベルと予め設定された少なくとも１つの判定レベルとの大小関係に基づいて、前記複数の乗算係数が決定されることを特徴とする請求項６に記載の信号処理方法。
【請求項８】
前記判定レベルは複数のレベルが設定されていることを特徴とする請求項７に記載の信号処理方法。
【請求項９】
前記決定する工程では、前記合算信号の履歴に基づいて、前記複数の乗算係数が決定されることを特徴とする請求項６〜８のいずれか一項に記載の信号処理方法。
【請求項１０】
前記再生信号は３値以上に多値化された情報の再生信号であることを特徴とする請求項１〜９のいずれか一項に記載の信号処理方法。
【請求項１１】
前記複数の遅延時間は、それぞれ再生用クロックの周期の整数倍であることを特徴とする請求項１〜１０のいずれか一項に記載の信号処理方法。
【請求項１２】
光ディスクからの再生信号を処理する再生信号処理回路であって、
一定時間ずつ異なる複数の遅延時間に応じて前記再生信号を遅延させ、前記複数の遅延時間にそれぞれ対応する複数の遅延信号を生成する遅延回路と；
前記複数の遅延信号のうち、少なくとも予め設定されている特定の遅延時間に対応する遅延信号の信号レベルに基づいて、複数の乗算係数を決定する決定回路と；
前記再生信号及び前記複数の遅延信号に前記複数の乗算係数をそれぞれ乗算し、複数の乗算信号を生成する乗算回路と；
前記複数の乗算信号をそれぞれ加算し、加算信号を生成する加算回路と；を備える再生信号処理回路。
【請求項１３】
前記決定回路は、前記特定の遅延時間に対応する遅延信号の信号レベルと予め設定されている少なくとも１つの判定レベルとの大小関係に応じて前記複数の乗算係数を決定することを特徴とする請求項１２に記載の再生信号処理回路。
【請求項１４】
前記判定レベルは複数のレベルが設定されていることを特徴とする請求項１３に記載の再生信号処理回路。
【請求項１５】
前記特定の遅延時間よりも１段階だけ短い遅延時間に対応する遅延信号、及び前記特定の遅延時間よりも１段階だけ長い遅延時間に対応する遅延信号の少なくとも一方の信号レベルに応じて前記判定レベルを設定する設定回路を、更に備えることを特徴とする請求項１３又は１４に記載の再生信号処理回路。
【請求項１６】
前記決定回路は、前記特定の遅延時間に対応する遅延信号の信号レベルと、前記特定の遅延時間よりも１段階だけ短い遅延時間に対応する遅延信号の信号レベルと、前記特定の遅延時間よりも１段階だけ長い遅延時間に対応する遅延信号の信号レベルと、に基づいて、前記複数の乗算係数を決定することを特徴とする請求項１２に記載の再生信号処理回路。
【請求項１７】
前記決定回路は、前記各信号レベルに予め設定された複数の値をそれぞれ乗算し、それらを加算した合算信号に基づいて、前記複数の乗算係数を決定することを特徴とする請求項１６に記載の再生信号処理回路。
【請求項１８】
前記決定回路は、前記合算信号の信号レベルと予め設定された少なくとも１つの判定レベルとの大小関係に基づいて、前記複数の乗算係数を決定することを特徴とする請求項１７に記載の再生信号処理回路。
【請求項１９】
前記判定レベルは複数のレベルが設定されていることを特徴とする請求項１８に記載の再生信号処理回路。
【請求項２０】
前記決定回路は、前記合算信号の履歴に基づいて、前記複数の乗算係数を決定することを特徴とする請求項１７〜１９のいずれか一項に記載の再生信号処理回路。
【請求項２１】
前記加算信号と予め設定されている目標値との差が最小となるように、前記複数の乗算係数のうちの少なくともいずれかを補正する補正回路を、更に備えることを特徴とする請求項１２〜２０のいずれか一項に記載の再生信号処理回路。
【請求項２２】
前記再生信号は３値以上に多値化された情報の再生信号であることを特徴とする請求項１２〜２１のいずれか一項に記載の再生信号処理回路。
【請求項２３】
前記複数の遅延時間は、それぞれ再生用クロックの周期の整数倍であることを特徴とする請求項１２〜２２のいずれか一項に記載の再生信号処理回路。
【請求項２４】
光ディスクの記録面に光を照射し、情報の記録、再生、及び消去のうち少なくとも再生を行なう光ディスク装置であって、
前記光ディスクからの再生信号を処理する請求項１２〜２３のいずれか一項に記載の再生信号処理回路と；
前記再生信号処理回路の出力信号に基づいて前記情報の再生を行なう処理装置と；を備える光ディスク装置。
【発明の詳細な説明】
【技術分野】
【０００１】
本発明は、信号処理方法、再生信号処理回路及び光ディスク装置に係り、更に詳しくは、光ディスクからの再生信号を処理する信号処理方法及び再生信号処理回路、該再生信号処理回路を備える光ディスク装置に関する。
【背景技術】
【０００２】
近年、デジタル技術の進歩及びデータ圧縮技術の向上に伴い、音楽、映画、写真及びコンピュータソフトなどの情報（以下「コンテンツ」ともいう）を記録するための媒体として、ＣＤ（compact disc）や、ＣＤの約７倍相当のデータをＣＤと同じ直径のディスクに記録可能としたＤＶＤ（digital versatile disc）などの光ディスクが注目されるようになり、その低価格化とともに、光ディスクを情報記録の対象媒体とする光ディスク装置が普及するようになった。
【０００３】
この光ディスク装置では、光源からレーザ光を出射し、スパイラル状又は同心円状のトラックが形成された光ディスクの記録面に微小スポットを形成して情報の記録を行い、記録面からの反射光に基づいて情報の再生などを行っている。
【０００４】
光ディスクでは、互いに反射率の異なるマーク及びスペースのそれぞれの長さとそれらの組み合わせとによって情報が記録される。この場合には、情報は０と１の２種類の数値（２値）の組み合わせに変換（２値化）されて光ディスクに書き込まれる。以下では、このような記録方式を２値記録方式という。
【０００５】
ところで、前記コンテンツの情報量は、年々増加する傾向にあり、１枚の光ディスクに記録可能な情報量の更なる増加が期待されている。光ディスクに記録可能な情報量を増加させる手段として、（１）マークの大きさを小さくする（高記録密度化）、（２）情報を３種類以上の数値の組み合わせに変換する、ことなどが考えられる。しかしながら、これらは、いずれも再生時に符号間干渉を生じ、再生信号の信号品質を低下させるおそれがある。なお、以下では、情報を３種類以上の数値の組み合わせに変換することを多値化といい、多値化されたデータを多値化データ、その多値化データの数を多値化数という。また、情報を多値化して記録する記録方式を多値記録方式という。
【０００６】
そこで、再生信号を処理する装置が種々考案された（例えば、特許文献１及び特許文献２参照）。特許文献１に開示されている波形等化器は、２値記録方式に対応し、マークの再生信号とスペースの再生信号とで、その波形等化特性を切り替えている。すなわち、マークの再生信号に対する波形等化特性は、マークの長さに関係なく同一に設定されている。また、特許文献２に開示されている情報記録再生装置は多値記録方式に対応し、情報記録媒体に記録されている校正情報の再生信号に基づいて復調回路における波形等化特性を補正している。
【０００７】
しかしながら、２値記録方式において、今後更にマークの大きさが小さくなると、符号間干渉が非線形性を示すようになり、特許文献１に開示されている波形等化器では、波形等化特性がマークの長さに関係なく同一に設定されているため、符号間干渉の影響が残留し、必要な信号品質の再生信号を得るのが困難となるおそれがある。また、多値記録方式において、今後更にマーク間隔が狭くなると、符号間干渉が非線形性を示すようになり、特許文献２に開示されている情報記録再生装置では、符号間干渉の影響が残留し、必要な信号品質の再生信号を得るのが困難となるおそれがある。
【０００８】
【特許文献１】特開２００３−８５７６４号公報
【特許文献２】特開２００２−３１９１３８号公報
【発明の開示】
【発明が解決しようとする課題】
【０００９】
本発明は、かかる事情の下になされたもので、その第１の目的は、光ディスクの再生信号における符号間干渉を精度良く補正することができる信号処理方法及び再生信号処理回路を提供することにある。
【００１０】
また、本発明の第２の目的は、光ディスクに記録されている情報を精度良く再生することができる光ディスク装置を提供することにある。
【課題を解決するための手段】
【００１１】
請求項１に記載の発明は、光ディスクからの再生信号を処理する信号処理方法であって、一定時間ずつ異なる複数の遅延時間に応じて前記再生信号を遅延させた複数の遅延信号のうち、少なくとも予め設定されている特定の遅延時間に対応する遅延信号の信号レベルに基づいて、前記再生信号及び前記複数の遅延信号に乗算される複数の乗算係数を決定する工程を含む信号処理方法である。
【００１２】
これによれば、光ディスクからの再生信号を処理する際に、一定時間ずつ異なる複数の遅延時間に応じて再生信号を遅延させた複数の遅延信号のうち、少なくとも予め設定されている特定の遅延時間に対応する遅延信号の信号レベルに基づいて、再生信号及び複数の遅延信号に乗算される複数の乗算係数が決定される。この場合には、光ディスクに形成されているマークに応じた適切な複数の乗算係数が決定されることとなり、マークに応じた信号処理を行なうことができる。従って、結果として光ディスクの再生信号における符号間干渉を精度良く補正することが可能となる。
【００１３】
この場合において、請求項２に記載の信号処理方法の如く、前記決定する工程では、前記特定の遅延時間に対応する遅延信号の信号レベルと予め設定された少なくとも１つの判定レベルとの大小関係に基づいて、前記複数の乗算係数が決定されることとすることができる。
【００１４】
この場合において、請求項３に記載の信号処理方法の如く、前記判定レベルは複数のレベルが設定されていることとすることができる。
【００１５】
上記請求項２及び３に記載の各信号処理方法において、請求項４に記載の信号処理方法の如く、前記特定の遅延時間よりも１段階だけ短い遅延時間に対応する遅延信号及び前記特定の遅延時間よりも１段階だけ長い遅延時間に対応する遅延信号の少なくとも一方の遅延信号の信号レベルに基づいて、前記少なくとも１つの判定レベルを設定する工程を、更に含むこととすることができる。
【００１６】
上記請求項１に記載の信号処理方法において、請求項５に記載の信号処理方法の如く、前記決定する工程では、前記特定の遅延時間に対応する遅延信号の信号レベルと、前記特定の遅延時間よりも１段階だけ短い遅延時間に対応する遅延信号の信号レベルと、前記特定の遅延時間よりも１段階だけ長い遅延時間に対応する遅延信号の信号レベルと、に基づいて、前記複数の乗算係数が決定されることとすることができる。
【００１７】
この場合において、請求項６に記載の信号処理方法の如く、前記決定する工程では、前記各信号レベルに予め設定された複数の値をそれぞれ乗算し、それらを加算した合算信号に基づいて、前記複数の乗算係数が決定されることとすることができる。
【００１８】
この場合において、請求項７に記載の信号処理方法の如く、前記決定する工程では、前記合算信号の信号レベルと予め設定された少なくとも１つの判定レベルとの大小関係に基づいて、前記複数の乗算係数が決定されることとすることができる。
【００１９】
この場合において、請求項８に記載の信号処理方法の如く、前記判定レベルは複数のレベルが設定されていることとすることができる。
【００２０】
上記請求項６〜８に記載の各信号処理方法において、請求項９に記載の信号処理方法の如く、前記決定する工程では、前記合算信号の履歴に基づいて、前記複数の乗算係数が決定されることとすることができる。
【００２１】
上記請求項１〜９に記載の各信号処理方法において、請求項１０に記載の信号処理方法の如く、前記再生信号は３値以上に多値化された情報の再生信号であることとすることができる。
【００２２】
上記請求項１〜１０に記載の各信号処理方法において、請求項１１に記載の信号処理方法の如く、前記複数の遅延時間は、それぞれ再生用クロックの周期の整数倍であることとすることができる。
【００２３】
請求項１２に記載の発明は、光ディスクからの再生信号を処理する再生信号処理回路であって、一定時間ずつ異なる複数の遅延時間に応じて前記再生信号を遅延させ、前記複数の遅延時間にそれぞれ対応する複数の遅延信号を生成する遅延回路と；前記複数の遅延信号のうち、少なくとも予め設定されている特定の遅延時間に対応する遅延信号の信号レベルに基づいて、複数の乗算係数を決定する決定回路と；前記再生信号及び前記複数の遅延信号に前記複数の乗算係数をそれぞれ乗算し、複数の乗算信号を生成する乗算回路と；前記複数の乗算信号をそれぞれ加算し、加算信号を生成する加算回路と；を備える再生信号処理回路である。
【００２４】
これによれば、遅延回路により、再生信号は一定時間ずつ異なる複数の遅延時間に応じて遅延され、複数の遅延時間にそれぞれ対応する複数の遅延信号が生成される。そして、決定回路により、複数の遅延信号のうち、少なくとも予め設定されている特定の遅延時間に対応する遅延信号の信号レベルに基づいて、複数の乗算係数が決定されると、乗算回路により、再生信号及び複数の遅延信号に複数の乗算係数をそれぞれ乗算した複数の乗算信号が生成される。さらに、複数の乗算信号は加算回路によりそれぞれ加算される。この場合には、マークに応じた適切な複数の乗算係数が決定回路にて決定されることとなるため、加算信号はマークに応じて処理された信号となる。従って、結果として光ディスクの再生信号における符号間干渉を精度良く補正することが可能となる。
【００２５】
この場合において、請求項１３に記載の再生信号処理回路の如く、前記決定回路は、前記特定の遅延時間に対応する遅延信号の信号レベルと予め設定されている少なくとも１つの判定レベルとの大小関係に応じて前記複数の乗算係数を決定することとすることができる。
【００２６】
この場合において、請求項１４に記載の再生信号処理回路の如く、前記判定レベルは複数のレベルが設定されていることとすることができる。
【００２７】
上記請求項１３及び１４に記載の各再生信号処理回路において、請求項１５に記載の再生信号処理回路の如く、前記特定の遅延時間よりも１段階だけ短い遅延時間に対応する遅延信号、及び前記特定の遅延時間よりも１段階だけ長い遅延時間に対応する遅延信号の少なくとも一方の信号レベルに応じて前記判定レベルを設定する設定回路を、更に備えることとすることができる。
【００２８】
上記請求項１２に記載の再生信号処理回路において、請求項１６に記載の再生信号処理回路の如く、前記決定回路は、前記特定の遅延時間に対応する遅延信号の信号レベルと、前記特定の遅延時間よりも１段階だけ短い遅延時間に対応する遅延信号の信号レベルと、前記特定の遅延時間よりも１段階だけ長い遅延時間に対応する遅延信号の信号レベルと、に基づいて、前記複数の乗算係数を決定することとすることができる。
【００２９】
この場合において、請求項１７に記載の再生信号処理回路の如く、前記決定回路は、前記各信号レベルに予め設定された複数の値をそれぞれ乗算し、それらを加算した合算信号に基づいて、前記複数の乗算係数を決定することとすることができる。
【００３０】
この場合において、請求項１８に記載の再生信号処理回路の如く、前記決定回路は、前記合算信号の信号レベルと予め設定された少なくとも１つの判定レベルとの大小関係に基づいて、前記複数の乗算係数を決定することとすることができる。
【００３１】
この場合において、請求項１９に記載の再生信号処理回路の如く、前記判定レベルは複数のレベルが設定されていることとすることができる。
【００３２】
上記請求項１７〜１９に記載の各再生信号処理回路において、請求項２０に記載の再生信号処理回路の如く、前記決定回路は、前記合算信号の履歴に基づいて、前記複数の乗算係数を決定することとすることができる。
【００３３】
上記請求項１２〜２０に記載の各再生信号処理回路において、請求項２１に記載の再生信号処理回路の如く、前記加算信号と予め設定されている目標値との差が最小となるように、前記複数の乗算係数のうちの少なくともいずれかを補正する補正回路を、更に備えることとすることができる。
【００３４】
上記請求項１２〜２１に記載の各再生信号処理回路において、請求項２２に記載の再生信号処理回路の如く、前記再生信号は３値以上に多値化された情報の再生信号であることとすることができる。
【００３５】
上記請求項１２〜２２に記載の各再生信号処理回路において、請求項２３に記載の再生信号処理回路の如く、前記複数の遅延時間は、それぞれ再生用クロックの周期の整数倍であることとすることができる。
【００３６】
請求項２４に記載の発明は、光ディスクの記録面に光を照射し、情報の記録、再生、及び消去のうち少なくとも再生を行なう光ディスク装置であって、前記光ディスクからの再生信号の波形を調整する請求項１２〜２３のいずれか一項に記載の再生信号処理回路と；前記再生信号処理回路の出力信号に基づいて前記情報の再生を行なう処理装置と；を備える光ディスク装置である。
【００３７】
これによれば、請求項１２〜２３のいずれか一項に記載の再生信号処理回路を備えているため、光ディスクに記録されている情報を精度良く再生することが可能となる。
【発明を実施するための最良の形態】
【００３８】
以下、本発明の一実施形態を図１〜図１４に基づいて説明する。図１には、本発明の一実施形態に係る光ディスク装置２０の概略構成が示されている。
【００３９】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、光ディスク装置２０は、多値記録方式に対応し、記録データは、一例として６値（０〜５）に多値化されるものとする。すなわち、多値化数は６である。更に一例として、相変化型情報記録媒体が光ディスク１５として用いられるものとする。
【００４０】
多値記録方式では、一例として図２に示されるように、トラックは仮想的に、トラックの接線方向に関して所定の長さ（ここでは、Ｓとする）毎に複数の領域（以下「セル」ともいう）に分割される。そして、１つのセルには１つの多値化データが格納される。この多値化データの値が１〜５のときは、その値に対応する面積の記録マークがセルの中央部に形成される。多値化データの値が０のときは、記録マークは形成されない。なお、光ディスク１５が再生速度に応じて回転しているときのセル周期をＴcellとする（図２参照）。
【００４１】
記録マークが形成された部分では、記録マークの面積が大きいほどレーザ光の反射率が低下するため、光ディスクの記録面で反射されたレーザ光から生成され、波形等化処理された再生信号は、図２に示されるように、多値化データの値が０のときに最大レベル（Ｌ0とする）となり、多値化データの値が５のときに最小レベル（Ｌ5とする）となる。なお、多値化データの値が１〜4のときの信号レベルをＬ1〜Ｌ4とする。
【００４２】
前記光ピックアップ装置２３は、スピンドルモータ２２によって回転している光ディスク１５のスパイラル状又は同心円状のトラックが形成された記録面にレーザ光を照射するとともに、該記録面からの反射光を受光するための装置である。この光ピックアップ装置２３は、一例として図３に示されるように、光源ユニット５１、カップリングレンズ５２、ビームスプリッタ５４、対物レンズ６０、検出レンズ５８、受光器ＰＤ、Ｉ／Ｖアンプ６２、及び対物レンズ６０を駆動するための駆動系６１などを備えている。
【００４３】
光源ユニット５１は、レーザ光を発光する光源としての半導体レーザＬＤを含んで構成されている。なお、本実施形態では、光源ユニット５１から出射されるレーザ光の最大強度出射方向を＋Ｘ方向とする。この光源ユニット５１の＋Ｘ側には、カップリングレンズ５２が配置され、光源ユニット５１から出射された光束を略平行光とする。
【００４４】
ビームスプリッタ５４は、カップリングレンズ５２の＋Ｘ側に配置され、カップリングレンズ５２からの光束をそのまま透過させ、かつ光ディスク１５で反射した光束（戻り光束）を−Ｚ方向に分岐する。このビームスプリッタ５４の＋Ｘ側には対物レンズ６０が配置され、ビームスプリッタ５４を透過した光束を光ディスク１５の記録面に集光する。
【００４５】
検出レンズ５８は、ビームスプリッタ５４の−Ｚ側に配置され、ビームスプリッタ５４で−Ｚ方向に分岐された戻り光束を、受光器ＰＤの受光面に集光する。受光器ＰＤの受光面は、複数の受光領域から構成されている。各受光領域はそれぞれ光電変換により受光量に応じた信号を生成する。
【００４６】
Ｉ／Ｖアンプ６２は、受光器ＰＤの各受光領域からの信号を電圧信号に変換するとともに、所定のゲインで増幅し、再生信号処理回路２８に出力する。
【００４７】
駆動系６１は、対物レンズ６０の光軸方向であるフォーカス方向に対物レンズ６０を微少駆動するためのフォーカシングアクチュエータと、トラックの接線方向に直交する方向であるトラッキング方向に対物レンズ６０を微少駆動するためのトラッキングアクチュエータとを有している。
【００４８】
図１に戻り、前記再生信号処理回路２８は、サーボ信号検出回路２８ｂ、ウォブル信号検出回路２８ｃ、ＲＦ信号検出回路２８ｄ、デコーダ２８ｅ、クロック信号生成回路２８ｆ、復調回路２８ｇ、及び波形等化回路２８ｈなどから構成されている。
【００４９】
サーボ信号検出回路２８ｂは、Ｉ／Ｖアンプ６２の出力信号に基づいてフォーカスエラー信号及びトラックエラー信号などのサーボ信号を検出する。ここで検出されたサーボ信号は前記駆動制御回路２６に出力される。
【００５０】
ウォブル信号検出回路２８ｃは、Ｉ／Ｖアンプ６２の出力信号に基づいてウォブル信号を検出する。ここで検出されたウォブル信号は、クロック信号生成回路２８ｆ及び復調回路２８ｇに出力される。
【００５１】
ＲＦ信号検出回路２８ｄは、Ｉ／Ｖアンプ６２の出力信号に基づいてＲＦ信号を検出する。ここで検出されたＲＦ信号は、クロック信号生成回路２８ｆ及び波形等化回路２８ｈに出力される。
【００５２】
クロック信号生成回路２８ｆは、ＲＦ信号に基づいて再生用クロック信号を生成し、ウォブル信号に基づいて復調用及び記録用クロック信号を生成する。再生用クロック信号は波形等化回路２８ｈ及びデコーダ２８ｅに供給され、復調用クロック信号は復調回路２８ｇに供給され、記録用クロック信号はエンコーダ２５などに供給される。なお、再生用クロック信号の周期は前記セル周期Ｔcellと同じ、もしくはその１／整数である。
【００５３】
波形等化回路２８ｈは、ＲＦ信号に対して波形等化処理を行なう。この波形等化回路２８ｈの詳細については後述する。
【００５４】
デコーダ２８ｅは、波形等化回路２８ｈの出力信号（波形等化信号）に対して復号処理及び誤り検出処理などを行い、誤りが検出されたときには誤り訂正処理を行った後、再生データとして前記バッファマネージャ３７を介して前記バッファＲＡＭ３４に格納する。ここでは、波形等化回路２８ｈにて、ＲＦ信号が波形等化処理されているため、ＲＦ信号に含まれる符号間干渉成分が精度良く補正されており、安定して精度良い再生データを得ることができる。なお、ＲＦ信号にはアドレスデータが含まれており、デコーダ２８ｅは、抽出したアドレスデータをＣＰＵ４０に出力する。
【００５５】
復調回路２８ｇは、ウォブル信号の変調部を復調し、アドレスデータあるいはメディアパラメータを取得する。ここで得られた各データはＣＰＵ４０に供給される。
【００５６】
前記駆動制御回路２６は、再生信号処理回路２８からのトラックエラー信号に基づいて、トラッキング方向に関する対物レンズ６０の位置ずれを補正するための前記トラッキングアクチュエータの駆動信号を生成するとともに、フォーカスエラー信号に基づいて、対物レンズ６０のフォーカスずれを補正するための前記フォーカシングアクチュエータの駆動信号を生成する。ここで生成された各アクチュエータの駆動信号は光ピックアップ装置２３に出力される。これにより、トラッキング制御及びフォーカス制御が行われる。また、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００５７】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００５８】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００５９】
前記レーザ制御回路２４は、半導体レーザＬＤの発光パワーを制御する。例えば記録の際には、前記書き込み信号、記録条件及び半導体レーザＬＤの発光特性などに基づいて、半導体レーザＬＤの駆動信号が生成される。
【００６０】
前記インターフェース３８は、上位装置９０（例えば、パソコン）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００６１】
前記フラッシュメモリ３９は、プログラム領域及びデータ領域を含んで構成されている。フラッシュメモリ３９のプログラム領域には、ＣＰＵ４０にて解読可能なコードで記述された各種プログラムが格納されている。また、データ領域には、記録パワー及び記録ストラテジなどの記録条件、半導体レーザＬＤの発光特性、及び波形等化回路２８ｈで用いられる後述する係数情報などが格納されている。
【００６２】
前記ＣＰＵ４０は、フラッシュメモリ３９のプログラム領域に格納されているプログラムに従って前記各部の動作を制御するとともに、制御に必要なデータなどをＲＡＭ４１及びバッファＲＡＭ３４に保存する。
【００６３】
ここで、前記波形等化回路２８ｈについて説明する。この波形等化回路２８ｈは、一例として図４に示されるように、複数の遅延素子からなる遅延部１０１、係数選択回路１０２、係数設定回路１０３、複数の乗算器からなる乗算部１０４、及び加算器１０５などを備えている。
【００６４】
本実施形態では、遅延部１０１は、一例として４つの遅延素子（１０１ａ、１０１ｂ、１０１ｃ、１０１ｄ）を有している。各遅延素子はそれぞれほぼ同じ信号遅延特性を有し、直列に配置されている。遅延素子１０１ａは、ＲＦ信号検出回路２８ｄの出力信号（再生信号）を時間Ｔcellだけ遅延させ、遅延素子１０１ｂは、遅延素子１０１ａの出力信号を時間Ｔcellだけ遅延させる。遅延素子１０１ｃは、遅延素子１０１ｂの出力信号を時間Ｔcellだけ遅延させ、遅延素子１０１ｄは、遅延素子１０１ｃの出力信号を時間Ｔcellだけ遅延させる。すなわち、遅延部１０１はいわゆるアナログディレイラインである。なお、以下では、便宜上、ＲＦ信号検出回路２８ｄの出力信号をＴap1、遅延素子１０１ａの出力信号（遅延信号）をＴap2、遅延素子１０１ｂの出力信号（遅延信号）をＴap3、遅延素子１０１ｃの出力信号（遅延信号）をＴap4、遅延素子１０１ｄの出力信号（遅延信号）をＴap5と呼ぶこととする。また、Ｔap1〜Ｔap5を総称してＴap信号ともいう。すなわち、Ｔap1は１番目のＴap信号、Ｔap2は２番目のＴap信号、Ｔap3は３番目のＴap信号、Ｔap4は４番目のＴap信号、Ｔap5は５番目のＴap信号ともいう。
【００６５】
係数選択回路１０２は、一例として図５に示されるように、比較部cmp及びデコーダ１１３を備えている。比較部cmpは、２つの比較器（１１１、１１２）を有している。比較器１１１はＴap3とスライスレベル信号SL1（判定レベル）とを比較し、その比較結果を出力する。比較器１１２はＴap3とスライスレベル信号SL2（＞SL1）（判定レベル）とを比較し、その比較結果を出力する。ここでは、比較器１１１はＴap3＜SL1のときに０（ローレベル）を出力し、Ｔap3≧SL1のときに１（ハイレベル）を出力するように設定されている。また、比較器１１２はＴap3＜SL2のときに０（ローレベル）を出力し、Ｔap3≧SL2のときに１（ハイレベル）を出力するように設定されている。すなわち、本実施形態では、Ｔap3は２つのスライスレベル信号（判定レベル）との大小関係が取得されている。なお、スライスレベル信号SL1及びスライスレベル信号SL2は、符号間干渉の非線形性を考慮して、実験やシミュレーションなどにより予め設定されている。
【００６６】
ここで、多値記録方式における符号間干渉について説明する。
【００６７】
一例として図６に示されるように、多値化データ「０」「０」「５」「０」「０」を再生すると、２番目及び４番目の多値化データ「０」に対応する再生信号レベルはL0よりも小さく検出され、多値化データ「５」に対応する再生信号レベルはL5よりも大きく検出される。これは、再生時の光スポットのスポット径がセルの長さよりも大きいため、２番目及び４番目の多値化データ「０」に対応する再生信号レベルに多値化データ「５」に対応する再生信号レベルが影響し、多値化データ「５」に対応する再生信号レベルに２番目及び４番目の多値化データ「０」に対応する再生信号レベルが影響しているからである。このように、隣接するセルの影響により再生信号レベルが変化することを符号間干渉という。
【００６８】
このときに、符号間干渉量が記録マークの大きさに比例する場合には、符号間干渉は線形であるという。しかしながら、多値記録方式では、小さい記録マークと大きい記録マークとでマーク形状が異なっていたり、光スポットの光強度分布が複雑であるため、符号間干渉量は記録マークの大きさに比例しない場合がある。この場合は、符号間干渉は非線形であるという。
【００６９】
具体的にマーク形状と符号間干渉の非線形性について説明する。ここでは、一例として図７に示されるように、多値化データ「０」「０」「ｘ」「０」「０」を再生したときに、４番目の「０」に及ぼす「ｘ」の影響について考える。記録マークは、多値化データに応じてトラックの接線方向（時間軸方向）の長さが変化するが、記録マークが小さくなると接線方向に直交する方向の長さも変化するため、４番目の「０」に対応する再生信号レベルは、ｘ＝３のとき（図７のＢ点）にはｘ＝５のとき（図７のＡ点）の半分よりも小さい。すなわち、大きな記録マークに対する符号間干渉量の変化感度は小さな記録マークに対する符号間干渉量の変化感度よりも高くなる。なお、図７では、比較のために便宜上、１つのセルに多値化データ「１」の記録マークと多値化データ「３」の記録マークと多値化データ「５」の記録マークとが重ねて示されている。
【００７０】
この場合には、セル中心に対応する再生信号レベルと隣接セルでの符号間干渉量との関係（以下、便宜上「中心レベル−干渉量関係」ともいう）は、一例として図８に示されるように、下に凸の曲線となる。
【００７１】
そこで、本実施形態では、中心レベル−干渉量関係を、一例として図９に示されるように、３つの領域（領域１、領域２、領域３とする）に分割し、各領域内では中心レベル−干渉量関係が直線、すなわち符号間干渉が線形性を示すものとした。従って、波形等化回路２８ｈは３つの波形等化特性（第１特性、第２特性、第３特性とする）を有していることとなる。そして、領域１と領域２との境界の信号レベルが前記スライスレベル信号SL1であり、領域２と領域３との境界の信号レベルが前記スライスレベル信号SL2である。
【００７２】
そこで、前記デコーダ１１３は、比較器１１１の出力信号と比較器１１２の出力信号がともに０であれば、領域１に対応する波形等化特性（第１特性）を選択する信号を選択信号ｋselとして出力し、比較器１１１の出力信号が１、かつ比較器１１２の出力信号が０であれば、領域２に対応する波形等化特性（第２特性）を選択する信号を選択信号ｋselとして出力し、比較器１１１の出力信号と比較器１１２の出力信号がともに１であれば、領域３に対応する波形等化特性（第３特性）を選択する信号を選択信号ｋselとして出力する。
【００７３】
前記係数設定回路１０３は、一例として図１０に示されるように、５つのセレクタ（１２１、１２２、１２３、１２４、１２５）及び５つのレジスタ（１２６ａ、１２６ｂ、１２６ｃ、１２６ｄ、１２６ｅ）を有している。レジスタ１２６ａには３つの係数情報（１Ａ、１Ｂ、１Ｃ）、レジスタ１２６ｂには３つの係数情報（２Ａ、２Ｂ、２Ｃ）、レジスタ１２６ｃには３つの係数情報（３Ａ、３Ｂ、３Ｃ）、レジスタ１２６ｄには３つの係数情報（４Ａ、４Ｂ、４Ｃ）、レジスタ１２６ｅには３つの係数情報（５Ａ、５Ｂ、５Ｃ）が、それぞれ格納されている。ここでは、１Ａ、２Ａ、３Ａ、４Ａ、５Ａは、それぞれ第１特性に対応した係数情報であり、これらの係数情報を１番目の係数群ともいう。１Ｂ、２Ｂ、３Ｂ、４Ｂ、５Ｂは、それぞれ第２特性に対応した係数情報であり、これらの係数情報を２番目の係数群ともいう。１Ｃ、２Ｃ、３Ｃ、４Ｃ、５Ｃは、それぞれ第３特性に対応した係数情報であり、これらの係数情報を３番目の係数群ともいう。各係数群は、あらかじめシミュレーションや実験などにより取得され、フラッシュメモリ３９のデータ領域に格納されている。そして、電源が投入されたときの初期化処理において、ＣＰＵ４０により、フラッシュメモリ３９のデータ領域から各レジスタに転送される。
【００７４】
セレクタ１２１は、選択信号ｋselに応じて、３つの係数情報（１Ａ、１Ｂ、１Ｃ）のうちのいずれかを選択し、係数信号k1として出力する。セレクタ１２２は、選択信号ｋselに応じて、３つの係数情報（２Ａ、２Ｂ、２Ｃ）のうちのいずれかを選択し、係数信号k2として出力する。セレクタ１２３は、選択信号ｋselに応じて、３つの係数情報（３Ａ、３Ｂ、３Ｃ）のうちのいずれかを選択し、係数信号k3として出力する。セレクタ１２４は、選択信号ｋselに応じて、３つの係数情報（４Ａ、４Ｂ、４Ｃ）のうちのいずれかを選択し、係数信号k4として出力する。セレクタ１２５は、選択信号ｋselに応じて、３つの係数情報（５Ａ、５Ｂ、５Ｃ）のうちのいずれかを選択し、係数信号k5として出力する。すなわち、選択信号ｋselは、前記３つの係数群のうちのいずれかの係数群を指定する信号である。なお、係数信号k2と係数信号k4は負の信号である。
【００７５】
図４に戻り、前記乗算部１０４は、５つの乗算器（１０４ａ、１０４ｂ、１０４ｃ、１０４ｄ、１０４ｅ）を有している。乗算器１０４ａは、Ｔap1にk1を乗算し、乗算信号mux1として出力する。乗算器１０４ｂは、Ｔap2にk2を乗算し、乗算信号mux2として出力する。乗算器１０４ｃは、Ｔap3にk3を乗算し、乗算信号mux3として出力する。乗算器１０４ｄは、Ｔap4にk4を乗算し、乗算信号mux4として出力する。乗算器１０４ｅは、Ｔap5にk5を乗算し、乗算信号mux5として出力する。なお、各乗算器としては、係数信号に応じてそのゲインが変化する可変ゲインアンプを用いることができる。また、係数信号k1〜k5を総称してＴap係数ともいう。
【００７６】
前記加算器１０５は、各乗算信号を加算し、波形等化信号Ｓeqを生成する。この波形等化信号Ｓeqがデコーダ２８ｅに出力される。
【００７７】
これにより、多値化データ「０」「０」「５」「０」「０」の再生信号は、一例として図１１に示されるように、２番目及び４番目の多値化データ「０」に対応する再生信号レベルはほぼL0となり、多値化データ「５」に対応する再生信号レベルはほぼL5となる。すなわち、符号間干渉が補正されている。
【００７８】
ここで、光学分解能特性（Modulation Transfer Function、以下「ＭＴＦ」という）について説明する（図１２参照）。記録マークの大きさが小さくなるにつれて、再生信号の周波数は高くなる。そして、記録マークの大きさが光スポットのスポット径よりも小さくなり、周波数が閾値Ｆpを超えると、波形等化処理を行なわない場合には、再生信号の振幅は減衰する。多値記録方式における周波数帯域は閾値Ｆpを超えているが、波形等化処理によって閾値がＦpから高周波側Ｆp’にシフトされるため、振幅の減衰を抑制することが可能となる。なお、多値記録方式においても、同一の記録マークが連続する場合には、閾値Ｆpよりも低い周波数となる場合がある。
【００７９】
多値化データ「０」「０」「ｘ」「０」「０」の波形等化前の再生信号波形（アイパターン）と、多値化データ「５」「５」「ｘ」「５」「５」の波形等化前の再生信号波形（アイパターン）とが、一例として図１３に示されている。多値化データ「０」「０」「ｘ」「０」「０」の再生信号では、ｘ＝５のときに振幅が最大となり、多値化データ「５」「５」「ｘ」「５」「５」の再生信号では、ｘ＝０のときに振幅が最大となる。しかしながら、多値記録方式では個々の記録マークの大きさが光スポットのスポット径より小さいため、「０」「０」「ｘ」「０」「０」における「ｘ」のように、単独の記録マーク（以下、便宜上「孤立波」という）では、ｘ＝５であっても、最大振幅（L0−L5）にはならない。そして、多値化データ「０」「０」「ｘ」「０」「０」の再生信号におけるｘ＝１及びｘ＝２に対応する再生信号レベルは、記録マークが存在しているにも関わらず、多値化データ「５」「５」「ｘ」「５」「５」の再生信号におけるｘ＝０に対応する再生信号レベルよりも高くなっている。このような状況も、波形等化回路２８ｈによって補正される。
【００８０】
《再生処理》
次に、光ディスク装置２０が、上位装置９０から再生要求コマンドを受信したときの処理について図１４を用いて簡単に説明する。図１４のフローチャートは、ＣＰＵ４０によって実行される一連の処理アルゴリズムに対応している。
【００８１】
上位装置９０から再生要求コマンドを受信すると、図１４のフローチャートに対応するプログラムの先頭アドレスがＣＰＵ４０のプログラムカウンタにセットされ、再生処理がスタートする。
【００８２】
最初のステップ３０１では、再生速度に基づいてスピンドルモータ２２を駆動するための信号を駆動制御回路２６に出力するとともに、上位装置９０から再生要求コマンドを受信した旨を再生信号処理回路２８に通知する。
【００８３】
次のステップ３０３では、光ディスク１５の回転が所定の速度に達していることを確認すると、駆動制御装置２６に対してサーボオンを設定する。これにより、前述の如くトラッキング制御及びフォーカス制御が行われる。なお、トラッキング制御及びフォーカス制御は再生処理が終了するまで随時行われる。
【００８４】
次のステップ３０５では、再生開始アドレスを再生要求コマンドから抽出し、再生開始アドレスの手前に光スポットが形成されるように、駆動制御回路２６に指示する。これにより、シーク動作が行なわれる。なお、シーク動作が不要であれば、ここでの処理はスキップされる。
【００８５】
次のステップ３０７では、再生を許可する。これにより、前述したように、ＲＦ信号検出回路２８ｄ、波形等化回路２８ｈ及びデコーダ２８ｅによって、再生データが取得され、バッファＲＡＭ３４に一旦蓄積された後、セクタ毎に上位装置９０に出力される。
【００８６】
次のステップ３０９では、再生が終了したか否かを判断する。再生が終了していなければ、ここでの判断は否定され、一定時間待機後、再度再生が終了したか否かを判断する。一方、再生が終了していれば、ここでの判断は肯定され、処理を終了する。
【００８７】
以上の説明から明らかなように、本実施形態に係る光ディスク装置２０では、遅延部１０１によって遅延回路が構成され、係数選択回路１０２と係数設定回路１０３とによって決定回路が構成され、乗算部１０４によって乗算回路が構成され、加算器１０５によって加算回路が構成されている。また、ＣＰＵ４０及びＣＰＵ４０にて実行されるプログラムとによって処理装置が構成されている。なお、ＣＰＵ４０によるプログラムに従う処理によって実現される処理装置の少なくとも一部をハードウェアによって構成することとしても良いし、あるいは全てをハードウェアによって構成することとしても良い。
【００８８】
そして、再生信号処理回路２８での処理において、本発明に係る信号処理方法が実施されている。
【００８９】
以上説明したように、本実施形態に係る光ディスク装置２０によると、光ピックアップ装置２３を介した光ディスクからの再生信号は、遅延部１０１（遅延回路）にて、一定時間ずつ異なる複数の遅延時間に応じて遅延され、複数の遅延時間にそれぞれ対応する複数の遅延信号Ｔap2〜Ｔap5が生成される。そして、係数選択回路１０２（決定回路の一部）にて、Ｔap3（特定の遅延時間に対応する遅延信号）の信号レベルと２つのスライスレベル信号（判定レベル）との大小関係が取得され、その結果に基づいて、係数設定回路１０３（決定回路の一部）にて、係数群（複数の乗算係数）が選択される。ここで選択された係数群は乗算部１０４（乗算回路）にて、再生信号及び複数の遅延信号に乗算される。乗算部１０４から出力される乗算信号mux1〜mux5は加算器１０５（加算回路）で加算され、波形等化信号Ｓeqとしてデコーダ２８ｅに供給され、再生データが取得される。この場合には、係数設定回路１０３にてマークに応じた適切な係数群が選択（決定）されることとなるため、波形等化信号Ｓeqはマークに応じて波形等化された信号となる。従って、結果として光ディスクの再生信号における符号間干渉を精度良く補正することが可能となる。そして、光ディスクに記録されている情報を精度良く再生することが可能となる。
【００９０】
なお、上記実施形態では、波形等化回路２８ｈの遅延部１０１が４つの遅延素子を備える場合について説明したが、これに限らず、例えば２つの遅延素子や、６つの遅延素子を備えていても良い。光スポットのスポット径に対するセルの大きさによって遅延素子の数を調整しても良い。なお、多値記録方式では、遅延素子の数が偶数個であることが好ましい。
【００９１】
また、上記実施形態では、波形等化回路２８ｈがアナログ回路で構成される場合について説明したが、例えば、再生速度に応じて遅延時間を変更したり、乗算係数を高速に切り替える必要があるときには、デジタル回路で構成しても良い。この場合には、波形等化回路の前段にＡ/Ｄ変換器が設けられることとなる。そして、該Ａ/Ｄ変換器でのサンプリング速度は遅延時間の１０倍以上とし、サンプリングデータをフィルタリングしてサンプリングノイズを除去しておくことが望ましい。Ａ/Ｄ変換器による離散化した信号を前記遅延時間と同じ周期で抽出することにより前記遅延素子の出力信号と同等の信号を得ることができる。なお、Ａ/Ｄ変換器でのサンプリングを遅延時間と同じ周期で行えば、抽出する必要はなくそのままのデータが使用できるが、その場合はサンプリングタイミングの位相をセル中心に正確に合わせておく必要がある。またサンプリング速度に関わらず事前にフィルタなどにより伝送路ノイズの除去を行っておくと良い。
【００９２】
また、上記実施形態では、波形等化回路２８ｈの遅延部１０１を構成する各遅延素子が直列に配置される場合について説明したが、一例として図１５に示されるように互いに遅延時間が異なる遅延素子（１０１ａ’、１０１ｂ’、１０１ｃ’、１０１ｄ’とする）を並列に配置してもよい。この場合には、遅延素子１０１ａ’の遅延時間はＴcell、遅延素子１０１ｂ’の遅延時間は２Ｔcell、遅延素子１０１ｃ’の遅延時間は３Ｔcell、遅延素子１０１ｄ’の遅延時間は４Ｔcellとなる。これにより、例えば遅延素子を通過する度に信号に歪が生じる場合には、遅延素子を直列に配置したときに生じる歪の蓄積を防止することが可能となる。
【００９３】
また、上記実施形態では、中心レベル−干渉量関係を、３つの領域に分割する場合について説明したが、これに限定されるものではない。領域数が多いほど符号間干渉の補正精度は向上するが、多値化数の半分程度の領域数であれば、十分な精度で符号間干渉を補正することができる。なお、非線形性が小さな記録マーク側又は大きな記録マーク側に偏っている場合には、多値化数に関係なく２つ又は３つの領域数であっても良い。
【００９４】
また、上記実施形態では、Ｔap3は２つのスライスレベル信号（判定レベル）との大小関係が取得される場合について説明したが、これに限定されるものではない。例えば領域数が２の場合には、Ｔap3は１つのスライスレベル信号（判定レベル）との大小関係が取得されれば良い。要するに、領域を特定する信号が前記係数設定回路１０３に出力されれば良い。
【００９５】
また、上記実施形態では、クロック信号生成回路２８ｆにおいてウォブル信号から復調用及び記録用クロック信号を生成する場合について説明したが、例えば、記録されている情報にクロック抽出用のマーク（例えばクロックマーク）が含まれている場合には、該マークに基づいて各クロック信号を生成しても良い。
【００９６】
また、上記実施形態では、記録マークは、多値化データに応じてトラックの接線方向（時間軸方向）の長さが変化する場合について説明したが、本発明がこれに限定されるものではなく、例えば、一例として図１６に示されるように、記録マークが、多値化データに応じてトラックの接線方向に直交する方向の長さが変化しても良い。この場合には、記録マークが小さくなると接線方向の長さも変化するようになるため、多値化データ「０」「０」「ｘ」「０」「０」を再生したときに、４番目の「０」に対応する再生信号レベルは、ｘ＝３のとき（図１６のＤ点）にはｘ＝５のとき（図１６のＣ点）の半分よりも大きくなる。すなわち、大きな記録マークに対する符号間干渉量の変化感度は小さな記録マークに対する符号間干渉量の変化感度に比べて低い。このような場合には、中心レベル−干渉量関係は、一例として図１７に示されるように、上に凸の曲線となる。この場合も、上記実施形態と同様に、３つの領域に分割し、各領域内では符号間干渉が線形であるものとすることができる。なお、図１６では、便宜上、１つのセルに多値化データ「１」の記録マークと多値化データ「３」の記録マークと多値化データ「５」の記録マークとが重ねて示されている。
【００９７】
なお、例えば図１８に示されるように、記録マークが円形であり、多値化データに応じてその直径が変化する場合には、多値化データ「０」「０」「ｘ」「０」「０」を再生したときに、４番目の「０」に対応する再生信号レベルは、ｘ＝３のとき（図１８のＦ点）にはｘ＝５のとき（図１８のＥ点）の約半分であり、ｘ＝１のとき（図１８のＧ点）にはｘ＝３のとき（図１８のＦ点）の約半分である。このような場合には、中心レベル−干渉量関係は、一例として図１９に示されるように、直線となる。すなわち符号間干渉は線形である。なお、図１９では、便宜上、１つのセルに多値化データ「１」の記録マークと多値化データ「３」の記録マークと多値化データ「５」の記録マークとが重ねて示されている。
【００９８】
また、上記実施形態では、係数選択回路１０２におけるスライスレベル信号SL1及びスライスレベル信号SL2がそれぞれ固定値である場合について説明したが、これに限定されるものではなく、例えば隣接する記録マークの少なくとも一方に応じて設定しても良い。
【００９９】
説明を簡単にするために、中心レベル−干渉量関係を２つの領域（領域Ａ、領域Ｂ）に分割し、領域Ａと領域Ｂとの境界を示すスライスレベル信号（SLとする）が最大振幅の１／２に設定されているものとする。この場合に、例えば多値化データ「ｘ」「ｘ」「２」「ｘ」「ｘ」を再生すると、ｘ＝０の場合には図２０（Ａ）に示されるように多値化データ「２」は領域Ａと認識され、正しい波形等化処理が行われる。しかしながら、ｘ＝５の場合には図２０（Ｂ）に示されるように多値化データ「２」は領域Ｂと認識され、正しい波形等化処理は行なわれない。このようなことは、多値数が大きいほど顕著となる。
【０１００】
このような場合には、前記係数選択回路１０２に代えて、一例として図２１に示されるように、Ｔap2、Ｔap3、Ｔap4を入力信号とする係数選択回路１０２’を用いても良い。この係数選択回路１０２’は、前記係数選択回路１０２を構成する２つの比較器（１１１、１１２）及びデコーダ１１３に加えて、スライスレベル設定回路１３０を有している。このスライスレベル設定回路１３０は、２つの比較器（１３１、１３２）、デコーダ１３３、２つのレジスタ（１３６ａ、１３６ｂ）及び２つのセレクタ（１３４、１３５）を備えている。
【０１０１】
レジスタ１３６ａには３つのスライスレベル情報（ＳＬ１Ａ、ＳＬ１Ｂ、ＳＬ１Ｃ）、レジスタ１３６ｂには３つのスライスレベル情報（ＳＬ２Ａ、ＳＬ２Ｂ、ＳＬ２Ｃ）が、それぞれ格納されている。これらのスライスレベル情報は、あらかじめシミュレーションや実験などにより取得され、フラッシュメモリ３９のデータ領域に格納されている。そして、電源が投入されたときの初期化処理において、ＣＰＵ４０により、フラッシュメモリ３９のデータ領域から各レジスタに転送される。
【０１０２】
比較器１３１は、Ｔap2と予め設定されているスライスレベル信号SL3とを比較し、その比較結果を出力する。比較器１３２はＴap4と予め設定されているスライスレベル信号SL4とを比較し、その比較結果を出力する。ここでは、比較器１３１はＴap2＜SL3のときに０（ローレベル）を出力し、Ｔap2≧SL3のときに１（ハイレベル）を出力するように設定されている。また、比較器１３２はＴap4＜SL4のときに０（ローレベル）を出力し、Ｔap4≧SL4のときに１（ハイレベル）を出力するように設定されている。なお、SL3及びSL4は、単純に最大振幅の１／２のレベルとしても良いが、非線形性の特徴に応じてSL3及びSL4の少なくとも一方を最大振幅の１／２のレベルから若干ずらしても良い。勿論SL3及びSL4の少なくとも一方を可変としても良い。
【０１０３】
デコーダ１３３は、比較器１３１の出力信号と比較器１３２の出力信号とに基づいて、SL1及びSL2を選択するための信号SLselを生成する。セレクタ１３４は、信号SLselに応じて、３つのスライスレベル信号（ＳＬ１Ａ、ＳＬ１Ｂ、ＳＬ１Ｃ）のうちのいずれかを選択し、スライスレベル信号SL1として出力する。セレクタ１３５は、信号SLselに応じて、３つの信号（ＳＬ２Ａ、ＳＬ２Ｂ、ＳＬ２Ｃ）のうちのいずれかを選択し、スライスレベル信号SL2として出力する。なお、各セレクタにおける選択肢は３つでなくても良い。
【０１０４】
比較器１１１は、前記係数選択回路１０２と同様に、Ｔap3とSL1とを比較し、その比較結果を出力する。比較器１１２は、前記係数選択回路１０２と同様に、Ｔap3とSL2とを比較し、その比較結果を出力する。デコーダ１１３は、前記係数選択回路１０２と同様に、比較器１１１の出力信号と比較器１１２の出力信号がともに０であれば、領域１に対応する波形等化特性（第１特性）を選択する信号を選択信号ｋselとして出力し、比較器１１１の出力信号が１、かつ比較器１１２の出力信号が０であれば、領域２に対応する波形等化特性（第２特性）を選択する信号を選択信号ｋselとして出力し、比較器１１１の出力信号と比較器１１２の出力信号がともに１であれば、領域３に対応する波形等化特性（第３特性）を選択する信号を選択信号ｋselとして出力する。
【０１０５】
また、例えば、記録マークの形状が、トラックの接線方向に関して非常に大きな非対称性を有する場合には、Ｔap2及びＴap4のいずれか一方を用いてSL1及びSL2を設定しても良い。
【０１０６】
また、上記実施形態では、係数設定回路１０３における各係数群がフラッシュメモリ３９のデータ領域に格納されている場合について説明したが、各係数群に関する情報が光ディスクに記録されていても良い。この場合には、波形等化処理をしなくても、再生信号から各係数群に関する情報が取得できるように光ディスクに記録されている必要がある。例えば記録可能な光ディスクの場合には、ウォブル信号に各係数群に関する情報を付加しても良い。
【０１０７】
また、光スポットの経時変化やばらつき、記録条件などにより、最適な波形等化特性が変動することが予想される場合には、係数設定回路１０３における各セレクタでの選択肢（係数情報）を補正できるようにしても良い。この補正に対応した波形等化回路（２８ｈ’とする）について説明する。この波形等化回路２８ｈ’は、図２２に示されるように、前記波形等化回路２８ｈに誤差検出回路１０６と係数更新回路１０７とが付加されたものである。
【０１０８】
ここでは、記録されている情報が既知である領域（以下「補正情報領域」という）が光ディスク１５に設けられているものとする。なお、補正情報領域の先頭には、その領域が補正情報領域であることを示すＩＤ情報が記録されている。そこで、図２３に示されるように、Ａ／Ｄ変換器（ＡＤＣ）２８ｊ及び補正情報領域検出回路２８ｋを新たに設けている。Ａ／Ｄ変換器２８ｊは再生信号をデジタルデータに変換する。補正情報領域検出回路２８ｋはＡ／Ｄ変換器の出力信号に前記ＩＤ情報が含まれているか否かを監視し、ＩＤ情報を検出すると補正信号を波形等化回路２８ｈ’に出力する。なお、波形等化回路２８ｈ’では、図２２に示されるように、補正信号は誤差検出回路１０６に供給される。
【０１０９】
波形等化回路２８ｈ’の稼動中の処理について図２４のフローチャートを用いて説明する。
【０１１０】
最初のステップ４０１では、係数設定回路１０３の各レジスタに格納されている係数情報が初期化される。なお、すでに初期化されている場合は、この処理をスキップしても良い。
【０１１１】
次のステップ４０３では、再生処理が終了しているか否かが判断される。再生処理が終了していなければ、ここでの判断は否定され、ステップ４０５に移行する。
【０１１２】
このステップ４０５では、補正信号があるか否かが判断される。補正信号があれば、ここでの判断は肯定され、ステップ４０７に移行する。
【０１１３】
このステップ４０７では、補正信号があることを示す情報として、フラグstに１がセットされる。
【０１１４】
次のステップ４１１では、係数選択回路１０２により選択信号ｋselが出力される。
【０１１５】
次のステップ４１３では、係数設定回路１０３により、選択信号ｋselに基づいて係数信号が出力される。
【０１１６】
次のステップ４１５では、加算器１０５にて波形等化信号Ｓeqが生成される。
【０１１７】
次のステップ４１７では、フラグstが０であるか否かが判断される。フラグstが０でなければ、ここでの判断は否定され、ステップ４１９に移行する。
【０１１８】
このステップ４１９では、誤差検出回路１０６により、加算器１０５から出力される波形等化信号Ｓeqと、ＣＰＵ４０から設定された目標値Ｓtargetとが比較され、目標値Ｓtargetに対する波形等化信号Ｓeqのずれが誤差信号として出力される。なお、目標値Ｓtargetとしては、補正情報領域に記録されている情報の理想的な信号レベル、例えば最大振幅をレベル数で等分割したレベルが用いられる。
【０１１９】
次のステップ４２１では、係数更新回路１０７により、次の（１）式に基づいて新しい係数情報が算出され、係数設定回路１０３の各レジスタに格納されている係数情報が更新される。ここでは、誤差信号をｅ（ｎ）、ｉ番目のＴap信号をＸi（ｎ）、ｉ番目の乗算器に入力される係数信号をＣi（ｎ）、Ａは定数である。そして、前記ステップ４０３に戻る。ｎは繰り返し回数である。
【０１２０】
Ci(n+1)＝Ci(n)＋A＊e(n)＊Xi(n)  ……（１）
【０１２１】
なお、前記ステップ４０５において、補正信号がなければ、ステップ４０５での判断は否定され、ステップ４０９に移行する。このステップ４０９では、補正信号がないことを示す情報として、フラグstに０がセットされる。そして、ステップ４１１に移行する。
【０１２２】
また、前記ステップ４１７において、フラグstが０であれば、ステップ４１７での判断は肯定され、ステップ４０３に戻る。
【０１２３】
さらに、前記ステップ４０３において、再生処理が終了していれば、ステップ４０３での判断は肯定され、待機状態となる。この待機状態のときに再生要求があると、波形等化回路２８ｈ’は稼動状態となり、ステップ４０３に移行する。
【０１２４】
なお、ステップ４１９において、誤差信号が所定の値以下であれば、係数情報を更新しなくても良い。また、ステップ４２１において、係数情報が収束すると収束性が確認されたことを示す情報（例えばフラグ）をセットしても良い。さらに、係数情報が収束するまでユーザデータの再生は行なわれない。
【０１２５】
この場合に、一例として図２５に示されるように、補正信号を保持するためのメモリ２８ｍ及び切替スイッチ２８ｎを備えていても良い。補正情報領域検出回路２８ｋはＩＤ情報を検出すると補正信号をメモリ２８ｍ、切替スイッチ２８ｎ及び波形等化回路２８ｈ’に出力する。メモリ２８ｍは補正信号を受け取るとＡ／Ｄ変換器の出力信号を格納する。これにより、補正情報領域の再生信号はメモリ２８ｍに保存されることとなる。そして、メモリ２８ｍは保存した再生信号を波形等化回路２８ｈ’の要求に応じて出力する。切替スイッチ２８ｎは補正信号を受け取るとメモリ２８ｍの出力信号が波形等化回路２８ｈ’に供給されるように信号ラインを切り替える。これにより、補正情報領域の再生信号がメモリ２８ｍから波形等化回路２８ｈ’に供給されるようになる。従って、補正情報領域の再生回数を減らすことができ、補正処理に要する時間を短縮することが可能となる。
【０１２６】
なお、前記補正情報領域としては、アドレス情報が記録されている領域や同期情報が記録されている領域を用いても良い。
【０１２７】
また、同じ考え方でスライスレベル信号の最適化も行うことができる。この場合には、図２６に示されるように、波形等化回路２８ｈ'における前記係数更新回路１０７に代えてスライスレベル更新回路１０８及び演算回路１０９が設けられた波形等化回路２８ｈ”が用いられる。そして、スライスレベル更新回路１０８によって係数選択回路１０２におけるスライスレベル信号が更新される（図２７参照）。この波形等化回路２８ｈ”におけるスライスレベル信号ＳＬ１の最適化処理について図２８のフローチャートを用いて説明する。また、ここでは、一例としてスライスレベル信号ＳＬ１をＤ１からΔｄ刻みで（Ｄ１＋ｍΔｄ）まで変化させるものとする。さらに、係数情報は変更されないものとする。この最適化処理は、補正信号により開始されるようになっている。
【０１２８】
最初のステップ５０１では、スライスレベル更新回路１０８によりスライスレベル信号ＳＬ１に初期値Ｄ１がセットされる。
【０１２９】
次のステップ５０３では、カウンタｉに初期値０がセットされる。
【０１３０】
次のステップ５０５では、係数選択回路１０２により選択信号ｋselが出力される。
【０１３１】
次のステップ５０７では、係数設定回路１０３により選択信号ｋselに基づいて、係数信号が出力される。
【０１３２】
次のステップ５０９では、加減算器１０５にて波形等化信号Ｓeqが生成される。
【０１３３】
次のステップ５１１では、誤差検出回路１０６により、加減算器１０５から出力される波形等化信号Ｓeqと、ＣＰＵ４０から設定された目標値Ｓtargetとが比較され、目標値Ｓtargetに対する波形等化信号Ｓeqのずれが誤差として検出される。この誤差はスライスレベル信号ＳＬ１に対応付けられて演算回路１０９のメモリ（図示省略）に保存される。
【０１３４】
次のステップ５１３では、カウンタｉの値がｍ以上であるか否かが判断される。カウンタｉの値がｍ未満であれば、ここでの判断は否定され、ステップ５１５に移行する。
【０１３５】
このステップ５１５では、カウンタｉの値に１が加算される。
【０１３６】
次のステップ５１７では、スライスレベル信号ＳＬ１にΔｄが加算され、前記ステップ５０５に戻る。
【０１３７】
以下、ステップ５１３での判断が肯定されるまで、ステップ５０５〜５１７の処理、判断が繰り返される。
【０１３８】
カウンタｉの値がｍになると、ステップ５１３での判断は肯定され、ステップ５１９に移行する。
【０１３９】
このステップ５１９では、演算回路１０９により、スライスレベル信号ＳＬ１と誤差との関係（例えば近似式）が取得される。
【０１４０】
次のステップ５２１では、演算回路１０９により、スライスレベル信号ＳＬ１と誤差との関係から、誤差の最小値に対応するスライスレベル信号が最適スライスレベル信号として算出される。
【０１４１】
次のステップ５２３では、演算回路１０９により、係数選択回路１０２におけるスライスレベル信号ＳＬ１が最適スライスレベル信号に更新される。そして、処理が終了する。
【０１４２】
なお、スライスレベル信号ＳＬ２についても同様にして最適化することができる。
【０１４３】
また、上記実施形態では、多値記録方式で情報が記録される場合について説明したが、本発明がこれに限定されるものではなく、２値記録方式で情報が記録される場合であっても良い。２値記録方式においても、マークの大きさが小さくなると、符号間干渉が非線形性を示すようになる（図２９参照）。図２９における下に凸の波形は、長いスペースに３Ｔ〜７Ｔのマークを挿入したときの再生信号であり、上に凸の波形は、長いマークに３Ｔ〜７Ｔのスペースを挿入したときの再生信号である。これによると、３Ｔ（マーク、スペース）及び４Ｔ（マーク、スペース）では振幅が小さく、最大振幅には到達していない。
【０１４４】
ところで、符号間干渉は光学的に発生するため、光スポットの強度分布の複雑さ、記録マーク形状の異方性、対物レンズに対する光ディスクの傾きなどによって、符号間干渉はトラックの接線方向に関して必ずしも対称ではなく、Ｔap3を基準とした時のＴap2の係数情報とＴap4の係数情報とが互いに異なることが一般的である。そこで、例えば記録マークの形状がセル中心を基準として著しく歪んでいると、片側（Ｔap2又はＴap3）の係数情報の値がほぼ０となることもある。この場合には、係数選択回路１０２では、Ｔap3を用いるのではなく、波形等化後の出力に最も大きく影響する遅延素子の出力信号を用いても良い。例えば、絶対値が最も大きい係数情報に対応する遅延素子の出力信号を用いても良い。
【０１４５】
また、上記実施形態において、前記波形等化回路２８ｈに代えて、一例として図３０に示されるように、Ｔap3ではなく、ＲＦ信号検出回路２８ｄの出力信号を用いて係数選択を行う係数選択回路１０２ａを備えた波形等化回路２８ｈａを用いても良い。この波形等化回路２８ｈａについて、以下に詳しく説明する。なお、図３０に示される波形等化回路２８ｈａには、更に遅延素子１００が前記遅延素子１０１ａの前段に配置されている。
【０１４６】
上記係数選択回路１０２ａは、一例として図３１に示されるように、上記実施形態における係数選択回路１０２（図５参照）に、前記遅延部１０１を構成する遅延素子とほぼ同じ信号遅延特性を有する３つの遅延素子（１１４ａ、１１４ｂ、１１４ｃ）と、３つの乗算器（１１５ａ、１１５ｂ、１１５ｃ）と、係数設定回路１１６と、加算器１１７と、メモリ（記憶回路）１１８と、が付加されたものである。なお、光スポットのスポット径に対するセルの大きさによって遅延素子の数を調整しても良い。
【０１４７】
ここでは、ＲＦ信号検出回路２８ｄの出力信号が遅延素子１１４ａに入力され、遅延素子１１４ａの出力信号が乗算器１１５ａと遅延素子１１４ｂとに入力され、遅延素子１１４ｂの出力信号が乗算器１１５ｂと遅延素子１１４ｃとに入力され、遅延素子１１４ｃの出力信号が乗算器１１５ｃに入力されるように配置されている。
【０１４８】
係数設定回路１１６は、３つの係数信号（ka1、ka2、ka3）を出力する。この係数信号は、光ディスク１５の記録面に集光されたレーザ光の大きさとセル長とで決定される符号間干渉成分を、大まかに除去するのに適した値（レベル）の信号であり、理論計算、シミュレーション及び実験などによって予め求められている。なお、この際に、光ディスクの特性のバラツキを考慮するのが好ましい。また、係数信号は、初期値として所定の値（例えば設計値）を採用しておき、係数設定回路１０３における係数信号が補正される場合に、該補正結果に応じて補正しても良い。ところで、係数信号の値（レベル）は、正の場合もあり、負の場合もある。
【０１４９】
乗算器１１５ａは遅延素子１１４ａの出力信号と係数信号ka1とを乗算し、乗算器１１５ｂは遅延素子１１４ｂの出力信号と係数信号ka2とを乗算し、乗算器１１５ｃは遅延素子１１４ｃの出力信号と係数信号ka3とを乗算する。これにより、遅延素子の出力信号は、増幅あるいは減衰される。
【０１５０】
加算器１１７は、乗算器１１５ａの出力信号と乗算器１１５ｂの出力信号と乗算器１１５ｃの出力信号とをそれぞれ加算した合算信号を出力する。
【０１５１】
メモリ１１８は、加算器１１７の出力信号である合算信号、すなわち加算結果を保持する。このメモリ１１８は、係数設定回路１０３の処理に必要なタイミングで、保持内容（加算結果）を前記比較器１１１及び比較器１１２に出力する。比較器１１１は加算結果と前記スライスレベル信号SL1とを比較し、その比較結果を出力する。比較器１１２は加算結果と前記スライスレベル信号SL2とを比較し、その比較結果を出力する。ここでは、比較器１１１は加算結果＜SL1のときに０（ローレベル）を出力し、加算結果≧SL1のときに１（ハイレベル）を出力するように設定されている。また、比較器１１２は加算結果＜SL2のときに０（ローレベル）を出力し、加算結果≧SL2のときに１（ハイレベル）を出力するように設定されている。なお、比較部cmpでは、２つのスライスレベル信号（判定レベル）との大小関係が取得されているが、例えば領域数が２の場合には、比較部cmpでは１つのスライスレベル信号（判定レベル）との大小関係が取得されれば良い。要するに、領域を特定する信号が係数設定回路１０３に出力されれば良い。
【０１５２】
デコーダ１１３は、上記実施形態と同様にして選択信号ｋselを出力する。
【０１５３】
遅延素子１００は、乗算部１０４に入力されるＴap信号とＴap係数との時間のずれを補正するために設けられている。そこで、例えばＴap3の影響が大きい場合に、係数選択回路１０２ａ及び係数設定回路１０３での処理による遅延量が３Ｔcellのときには、遅延素子１００での遅延量はＴcellに設定される。なお、遅延素子１００を用いる代わりに、メモリ１１８の出力タイミングを遅延させても良い。また、Ｔap3の影響が大きい場合に、乗算器１０４ｃに入力されるＴap3のほうがk3よりも遅いときには、遅延素子１００に代えて、係数選択回路１０２ａの前段に遅延素子が設けられる。ところで、Ｔap3の影響が大きい場合に、乗算器１０４ｃに入力されるＴap3とk3との間に時間のずれがなければ、当然遅延素子１００は不要である。
【０１５４】
なお、以下では便宜上、係数選択回路１０２ａにおける各遅延素子と各乗算器と加算器１１７とからなる回路を第１の信号処理回路ともいい、遅延部１０１と乗算部１０４と加算器１０５とからなる回路を第２の信号処理回路ともいう。
【０１５５】
ここで、第1の信号処理回路を用いる利点について述べる。説明を簡略化するために、中心レベル−干渉量関係を２つの領域（領域Ａ、領域Ｂ）に分割し、領域Ａと領域Ｂとの境界を示すスライスレベル信号（SLとする）が最大振幅の１／２に設定されているものとする。そして、SLより大きい信号レベルを領域Aと判定する。第１の信号処理回路を用いずに再生信号をそのまま条件判定に用いる場合に、例えば多値化データ「ｘ」「ｘ」「２」「ｘ」「ｘ」を再生すると、ｘ＝０の場合には多値化データ「２」は領域Ａと認識され（図２０（Ａ）参照）、正しい波形等化処理が行われるが、ｘ＝５の場合には多値化データ「２」は領域Ｂと認識され（図２０（Ｂ）参照）、正しい波形等化処理は行なわれない。このようなことは、多値数が大きいほど顕著となる。このような場合に、予め設定された係数信号を用いかつ簡単な回路で、大まかに前後のデータからの符号間干渉成分が除去されていれば、誤認識を防止することができる。もちろん符号間干渉成分の除去に正確さを追求するならば、第１の信号処理回路として第２の信号処理回路と同程度の回路構成が必要となるが、第２の信号処理回路と違って直接連続したデータ判定の誤りにはつながらないことから、第1の信号処理回路は係数信号の固定化、構成の簡略化を行うことができる。そして、第１の信号処理回路における係数信号に第2の信号処理回路の係数信号を逐次反映すれば、さらに精度を上げることが可能である。
【０１５６】
また、この場合において、一例として図３２に示されるように互いに遅延時間が異なる遅延素子（１０１ａ’、１０１ｂ’、１０１ｃ’、１０１ｄ’とする）を並列に配置してもよい。この場合には、遅延素子１０１ａ’の遅延時間はＴcell、遅延素子１０１ｂ’の遅延時間は２Ｔcell、遅延素子１０１ｃ’の遅延時間は３Ｔcell、遅延素子１０１ｄ’の遅延時間は４Ｔcellとなる。これにより、例えば遅延素子を通過する度に信号に歪が生じる場合には、遅延素子を直列に配置したときに生じる歪の蓄積を防止することが可能となる。
【０１５７】
さらに、一例として図３３に示されるように、前記メモリ１１８から時系列的に加算器１１７から得られた３つの加算結果（Sn-1、Sn、Sn+1）を出力し、比較器１１１が加算結果Snとスライスレベル信号SL1との比較結果を出力し、新たに設けられた比較器１１９ａが加算結果Sn-1と新たなスライスレベル信号SL3との比較結果を出力し、新たに設けられた比較器１１９ｂが加算結果Sn+1と新たなスライスレベル信号SL4との比較結果を出力しても良い。すなわち、合算信号の履歴を用いても良い。ここでは、比較器１１１で対象セルのレベル判定を行い、比較器１１９ａで対象セルの前方のセルのレベル判定を行い、比較器１１９ｂで対象セルの後方のセルのレベル判定を行っている。例えば、SL1＝SL3＝SL4とし、そのレベルが最大振幅の１／２に設定されている場合には、Sn-1＜SL3及びSn+1＜SL4であれば、前方及び後方のセルにおけるマークがいずれも大きいときに対応し、このときは符号間干渉の非線形が顕著に表れることが判明する。ここでは、対象セルのレベル判定結果（SL1との大小関係（２条件））と、前方及び後方のセルにおけるマークの大きさ（大小判定（２条件））とから、合計で４つの波形等化特性が必要である。そこでデコーダ１１３では各比較器での比較結果に応じた選択信号kselを出力する。すなわち、この場合には、係数設定回路１０３を構成する各レジスタはそれぞれ４つの係数情報を格納しセレクタはそれらから選択できるようにしておく必要がある。なお、上記説明では前後３セルのデータを条件判別に用いたが、これに限定されるものではなく、例えば記録マークの形状が、トラックの接線方向に関して非常に大きな非対称性を有する場合には、対象セルと前方及び後方のうちいずれかを用いた２セルで判別を行っても良い。また、符号間干渉が非常に大きい場合には前後５セルで判別を行っても良い。
【０１５８】
また、一例として図３４に示されるように、係数設定回路１０３における各セレクタでの選択肢（係数情報）を補正できるようにしても良い。
【０１５９】
また、一例として図３５に示されるように、スライスレベル信号の最適化も行うことができる。この場合には、一例として図３６に示されるように、スライスレベル更新回路１０８によって係数選択回路１０２ａにおけるスライスレベル信号が更新される。
【０１６０】
また、遅延素子１１０が不要な場合には、一例として図３７に示されるように、係数選択回路１０２ａでは、遅延素子１１４ａの出力信号に代えて遅延素子１０１ａの出力信号を乗算器１１５ａに入力し、遅延素子１１４ｂの出力信号に代えて遅延素子１０１ｂの出力信号を乗算器１１５ｂに入力し、遅延素子１１４ｃの出力信号に代えて遅延素子１０１ｃの出力信号を乗算器１１５ｃに入力しても良い。これにより、部品点数を減らすことが可能となる。
【０１６１】
なお、２値記録方式で情報が記録されている場合には、各遅延素子での遅延時間は再生用クロックの１周期と同じとなるが、例えば変調方式との兼ね合いで１．５周期や２周期であっても良い。
【０１６２】
また、上記実施形態では、相変化型情報記録媒体が光ディスク１５として用いられる場合について説明したが、これに限らず、追記型、書き換え可能型及び再生専用型のいずれであっても良い。この場合に、ＤＶＤ系、ＣＤ系、約４０５ｎｍの波長の光に対応した次世代の情報記録媒体のいずれであっても良い。
【０１６３】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。このときには、複数種類の光ディスクのうち少なくとも１種類の光ディスクで多値記録方式が用いられても良い。
【図面の簡単な説明】
【０１６４】
【図１】本発明の一実施形態に係る光ディスク装置の構成を示すブロック図である。
【図２】情報の多値化を説明するための図である。
【図３】図１の光ピックアップ装置を説明するための図である。
【図４】図１の波形等化回路を説明するための図である。
【図５】図４の係数選択回路を説明するための図である。
【図６】符号間干渉を説明するための図（その１）である。
【図７】記録マークの形状と符号間干渉との関係を説明するための図である。
【図８】符号間干渉の非線形性を説明するための図である。
【図９】図８の非線形性の領域分割を説明するための図である。
【図１０】図４の係数設定回路を説明するための図である。
【図１１】波形等化の効果を説明するための図である。
【図１２】光学分解能特性を説明するための図である。
【図１３】波形等化前のアイパターンである。
【図１４】再生処理を説明するためのフローチャートである。
【図１５】図１の波形等化回路の変形例を説明するための図である。
【図１６】図２の記録マークと異なる形状の記録マークにおける符号間干渉を説明するための図である。
【図１７】図１６における符号間干渉の非線形性を説明するための図である。
【図１８】符号間干渉が線形性を示す場合を説明するための図（その１）である。
【図１９】符号間干渉が線形性を示す場合を説明するための図（その２）である。
【図２０】図２０（Ａ）及び図２０（Ｂ）は、それぞれスライスレベル信号と多値化データとの関係を説明するための図である。
【図２１】スライスレベル信号の設定が可能な係数選択回路を説明するための図である。
【図２２】係数情報の補正が可能な波形等化回路を説明するための図である。
【図２３】図２２における補正信号を説明するための図である。
【図２４】係数情報の補正処理を説明するためのフローチャートである。
【図２５】図２３の変形例を説明するための図である。
【図２６】スライスレベル信号の最適化が可能な波形等化回路を説明するための図である。
【図２７】図２６の係数選択回路を説明するための図である。
【図２８】スライスレベル信号の最適化処理を説明するためのフローチャートである。
【図２９】２値記録方式における符号間干渉を説明するための図である。
【図３０】図４の変形例を説明するための図である。
【図３１】図３０における係数選択回路を説明するための図である。
【図３２】図３０の変形例を説明するための図である。
【図３３】図３０における係数選択回路の変形例を説明するための図である。
【図３４】図３０の変形例を説明するための図である。
【図３５】図３０の変形例を説明するための図である。
【図３６】図３５における係数選択回路を説明するための図である。
【図３７】図３０の変形例を説明するための図である。
【符号の説明】
【０１６５】
１５…光ディスク、２０…光ディスク装置、２８…再生信号処理回路、４０…ＣＰＵ（処理装置）、１０１…遅延部（遅延回路）、１０２…係数選択回路（決定回路の一部）、１０３…係数設定回路（決定回路の一部）、１０４…乗算部（乗算回路）、１０５…加算器（加算回路）、１０６…誤差検出回路（補正回路の一部）、１０７…係数更新回路（補正回路の一部）、１３０…スライスレベル設定回路（設定回路）。
【図１】
2006012381.tif 000003
【図２】
2006012381.tif 000004
【図３】
2006012381.tif 000005
【図４】
2006012381.tif 000006
【図５】
2006012381.tif 000007
【図６】
2006012381.tif 000008
【図８】
2006012381.tif 000009
【図９】
2006012381.tif 000010
【図１０】
2006012381.tif 000011
【図１１】
2006012381.tif 000012
【図１２】
2006012381.tif 000013
【図１３】
2006012381.tif 000014
【図１４】
2006012381.tif 000015
【図１５】
2006012381.tif 000016
【図１７】
2006012381.tif 000017
【図１９】
2006012381.tif 000018
【図２０】
2006012381.tif 000019
【図２１】
2006012381.tif 000020
【図２２】
2006012381.tif 000021
【図２３】
2006012381.tif 000022
【図２４】
2006012381.tif 000023
【図２５】
2006012381.tif 000024
【図２６】
2006012381.tif 000025
【図２７】
2006012381.tif 000026
【図２８】
2006012381.tif 000027
【図２９】
2006012381.tif 000028
【図３０】
2006012381.tif 000029
【図３１】
2006012381.tif 000030
【図３２】
2006012381.tif 000031
【図３３】
2006012381.tif 000032
【図３４】
2006012381.tif 000033
【図３５】
2006012381.tif 000034
【図３６】
2006012381.tif 000035
【図３７】
2006012381.tif 000036
【図７】
2006012381.tif 000037
【図１６】
2006012381.tif 000038
【図１８】
2006012381.tif 000039